(57)【要約】      （修正有）【課題】ロック穴に応じてシリンダーモジュールを置換できる電子装置錠を提供する。【解決手段】電子装置錠９００は、ケース１００と、シリンダーモジュール２００と、キーシリンダー３００と、駆動装置４００とを含む。シリンダーモジュール２００は、ケース１００内に取り外し可能に設けられており、少なくとも一部がケース開口１１０を通してケース１００からはみ出すことが可能な係止フックセット２１０、及び少なくとも一部が係止フックセット２１０に差し込むロックピースを含む。駆動装置４００は、ケース１００内に回転可能に設けられており、それぞれ互いに噛合する歯車である第一の駆動部及び第二の駆動部を有する。キーシリンダー３００は、第二の駆動部を駆動して回転させ、第二の駆動部に連動する第一の駆動部を回転させてロックピースを回動させ、係止フックセット２１０を開閉する。【選択図】図２Ａ
0003227428.tif 000002
【実用新案登録請求の範囲】
【請求項１】
ケース開口を有し、内側に係合部を有するケースと、
前記ケース内に取り外し可能に設けられており、少なくとも一部が前記ケース開口を通して前記ケースからはみ出すことが可能な係止フックセット、及び少なくとも一部が前記係止フックセットに差し込むロックピースを含むシリンダーモジュールと、
前記ケース内に設けられているキーシリンダーと、
前記ケース内に回転可能に設けられており、それぞれ互いに噛合する歯車である第一の駆動部及び第二の駆動部を有する駆動装置と、を含み、
前記キーシリンダーが解錠状態である場合、前記キーシリンダーは、前記第二の駆動部を駆動して回転させ、前記第二の駆動部に連動する前記第一の駆動部を回転させて前記ロックピースを回動させることにより、前記係止フックセットを、前記ケースからのはみ出し部分が開き、前記ケース内における一部が前記係合部に差し込むように駆動することが可能である
電子装置錠。
【請求項２】
前記シリンダーモジュールは、前記ケース開口を通して取り外して前記ケースから離れることが可能である請求項１に記載の電子装置錠。
【請求項３】
前記キーシリンダーは、キーシリンダー受力部と、前記キーシリンダー受力部に連動するキーシリンダー駆動部とを含み、前記キーシリンダー受力部が力を受けることにより、前記キーシリンダー駆動部が前記係止フックセットを、前記ケースからのはみ出し部分が開き、前記ケース内における一部が前記係合部に差し込むように駆動することが可能である請求項１に記載の電子装置錠。
【請求項４】
前記シリンダーモジュールは、シリンダー筐体をさらに含み、
前記シリンダー筐体は、第一の開口及び第二の開口を有し、その側壁に前記係合部に対応する係合孔を有し、
前記係止フックセットは、前記シリンダー筐体内に設けられており、２つの係止フックを含み、各係止フックは、
前記第一の開口を通して前記シリンダー筐体からはみ出し、前記ケース開口を通して前記ケースからはみ出すことが可能なフック部と、
前記係合孔を通して前記シリンダー筐体からはみ出して前記係合部に差し込むことが可能な係合部材と、を含み、
前記ロックピースは、前記シリンダー筐体内に設けられており、前記２つの係止フックを、前記フック部が互いに離れるとともに前記係合部材が前記係合部に差し込むように駆動することが可能である請求項３に記載の電子装置錠。
【請求項５】
前記ロックピースは、
前記係止フックセットに対して回転可能であり、一端が前記係止フックセットに向かい、他端が前記第二の開口を通して前記シリンダー筐体から露出する回転部と、
前記回転部の前記係止フックセットに向かう一端から前記２つの係止フックの間まで延伸し、前記回転部に連動して前記２つの係止フックの間で回転することにより、前記２つの係止フックを、前記フック部が互いに離れるとともに前記係合部材が前記係合部に差し込むように駆動することが可能な扁形のリンク部材と、を含む請求項４に記載の電子装置錠。
【請求項６】
前記第一の駆動部は、前記回転部に係合して連動し、前記キーシリンダーの前記キーシリンダー駆動部は、前記第二の駆動部に係合して連動し、
前記キーシリンダーが解錠状態である場合、前記キーシリンダー受力部が力を受けることで前記キーシリンダー駆動部を回転させ、前記第二の駆動部を動かして回転させ、前記第二の駆動部に連動する前記第一の駆動部を回転させ、さらに前記回転部を駆動して回転させることにより、前記回転部に連動する前記扁形のリンク部材が回転して前記２つの係止フックの前記フック部が互いに離れるとともに前記係合部材が前記係合部に差し込むことが可能である請求項５に記載の電子装置錠。
【請求項７】
前記第一の駆動部及び前記回転部には、対応して係合可能な第一の駆動部凹部及び回転部バンプがそれぞれ設けられており、前記キーシリンダー駆動部及び前記第二の駆動部には、対応して係合可能なキーシリンダー駆動部バンプ及び第二の駆動部凹部がそれぞれ設けられている請求項６に記載の電子装置錠。
【請求項８】
前記キーシリンダーは、鍵のキーシリンダーである請求項１に記載の電子装置錠。
【請求項９】
前記係合部は凹穴である請求項１に記載の電子装置錠。
【請求項１０】
前記シリンダーモジュールは、外周表面にスリップ防止装置が設けられている請求項１に記載の電子装置錠。
【考案の詳細な説明】
【技術分野】
【０００１】
本考案は、電子装置錠に関する。更には、本考案は、ノート型パソコンをロックするための電子装置錠に関する。
【背景技術】
【０００２】
現代生活の中で、消費電子製品が重要な役割を果たし、その上、現在の生活形態が急速になるとともに人々の即時情報に対する要求が上がるので、携帯型電子製品は、人々の必需品の１つになっている。しかし、これらの製品は、そのニーズが高くて人気があり、単価が高く、体積が小さくて携帯しやすいなどの特徴を持つので、盗難に遭う、又は盗取される可能性もそれにつれて増加してしまう。
【０００３】
他人に盗まれることを防止するために、ノート型パソコンロックのような錠前であって、その掛け金で電子製品の盗難防止ロック穴と接続可能であり、錠前の施錠操作は、掛け金が電子製品と接続された状態で掛け金を盗難防止ロック穴内にロックさせることが可能な錠前が設計されている。しかし、現在、市場には、盗難防止ロック穴の規格が様々ある。したがって、使用者がそれに対応して使用するために複数の規格の異なる錠前を購入しなければならないので、使用上の利便性及び経済性には改良の余地がある。
【考案の概要】
【０００４】
本考案は、従来技術に存在する上記課題を解決するために、電子装置錠を提供することを目的とする。
【０００５】
本考案に係る電子装置錠は、ケースと、シリンダーモジュールと、キーシリンダーと、駆動装置とを含む。ケースは、ケース開口を有し、その内側に係合部を有する。シリンダーモジュールは、ケース内に取り外し可能に設けられており、少なくとも一部がケース開口を通してケースからはみ出すことが可能な係止フックセット、及び少なくとも一部が係止フックセットに差し込むロックピースを含む。キーシリンダーは、ケース内に設けられている。駆動装置は、ケース内に回転可能に設けられており、それぞれ互いに噛合する歯車である第一の駆動部及び第二の駆動部を有する。キーシリンダーが解錠状態である場合、キーシリンダーは、第二の駆動部を駆動して回転させ、第二の駆動部に連動する第一の駆動部を回転させてロックピースを回動させることにより、係止フックセットを、ケースからのはみ出し部分が開き、ケース内における一部が係合部に差し込むように駆動することが可能である。
【０００６】
本考案の実施例において、シリンダーモジュールは、ケース開口を通して取り外してケースから離れることが可能である。
【０００７】
本考案の実施例において、キーシリンダーは、キーシリンダー受力部と、キーシリンダー受力部に連動するキーシリンダー駆動部とを含み、キーシリンダー受力部が力を受けることにより、キーシリンダー駆動部が係止フックセットを、ケースからのはみ出し部分が開き、ケース内における一部が係合部に差し込むように駆動することが可能である。
【０００８】
本考案の実施例において、シリンダーモジュールは、シリンダー筐体をさらに含む。シリンダー筐体は、第一の開口及び第二の開口を有し、その側壁に係合部に対応する係合孔を有する。係止フックセットは、シリンダー筐体内に設けられており、２つの係止フックを含み、各係止フックは、フック部と係合部材とを含む。フック部は、第一の開口を通してシリンダー筐体からはみ出し、ケース開口を通してケースからはみ出すことが可能である。係合部材は、係合孔を通してシリンダー筐体からはみ出して係合部に差し込むことが可能である。ロックピースは、シリンダー筐体内に設けられており、２つの係止フックを、フック部が互いに離れるとともに係合部材が係合部に差し込むように駆動することが可能である。
【０００９】
本考案の実施例において、ロックピースは、回転部と扁形のリンク部材とを含む。回転部は、係止フックセットに対して回転可能であり、一端が係止フックセットに向かい、他端が第二の開口を通してシリンダー筐体から露出する。扁形のリンク部材は、回転部の係止フックセットに向かう一端から２つの係止フックの間まで延伸し、回転部に連動して２つの係止フックの間で回転することにより、２つの係止フックを、フック部が互いに離れるとともに係合部材が係合部に差し込むように駆動することが可能である。
【００１０】
本考案の実施例において、第一の駆動部は、回転部に係合して連動し、キーシリンダーのキーシリンダー駆動部は、第二の駆動部に係合して連動する。キーシリンダーが解錠状態である場合、キーシリンダー受力部が力を受けることでキーシリンダー駆動部を回転させ、第二の駆動部を動かして回転させ、第二の駆動部に連動する第一の駆動部を回転させ、さらに回転部を駆動して回転させることにより、回転部に連動する扁形のリンク部材が回転して２つの係止フックのフック部が互いに離れるとともに係合部材が係合部に差し込むことが可能である。
【００１１】
本考案の実施例において、第一の駆動部及び回転部には、対応して係合可能な第一の駆動部凹部及び回転部バンプがそれぞれ設けられており、キーシリンダー駆動部及び第二の駆動部には、対応して係合可能なキーシリンダー駆動部バンプ及び第二の駆動部凹部がそれぞれ設けられている。
【００１２】
本考案の実施例において、キーシリンダーは、鍵のキーシリンダーである。
【００１３】
本考案の実施例において、係合部は凹穴である。
【００１４】
本考案の実施例において、シリンダーモジュールは、外周表面にスリップ防止装置が設けられている。
【図面の簡単な説明】
【００１５】
【図１】本考案に係る電子装置錠の実施例の模式図である。
【図２Ａ】本考案に係る電子装置錠の一部組立ての実施例の模式図である。
【図２Ｂ】本考案に係る電子装置錠の一部組立ての実施例の模式図である。
【図３Ａ】本考案に係る電子装置錠の一部組立ての実施例の模式図である。
【図３Ｂ】本考案に係る電子装置錠の一部組立ての実施例の模式図である。
【図４Ａ】本考案に係る電子装置錠の係止フックが互いに近接する実施例の分解模式図である。
【図４Ｂ】本考案に係る電子装置錠の係止フックが互いに近接する実施例の分解模式図である。
【図５Ａ】本考案に係る電子装置錠の係止フックが互いに離れる実施例の分解模式図である。
【図５Ｂ】本考案に係る電子装置錠の係止フックが互いに離れる実施例の分解模式図である。
【図６Ａ】本考案に係る電子装置錠の係止フックが互いに近接してフック部が盗難防止ロック穴に入る実施例の断面模式図である。
【図６Ｂ】本考案に係る電子装置錠の他の実施例の断面模式図である。
【図６Ｃ】本考案に係る電子装置錠の係止フックが互いに離れてフック部が盗難防止ロック穴に入る実施例の断面模式図である。
【図７】本考案に係る電子装置錠の他の実施例の断面模式図である。
【考案を実施するための形態】
【００１６】
本考案に係る電子装置錠は、ノート型パソコンをロックするために用いられることが好ましい。より具体的には、ノート型パソコンのロック穴にロックされるものである。しかし、他の実施例において、電子装置錠は、ロック穴を有する他の電子装置をロックするために用いられてもよい。
【００１７】
図１Ａ乃至３Ｂに示す実施例のように、本考案に係る電子装置錠９００は、ケース１００と、シリンダーモジュール２００と、キーシリンダー３００と、駆動装置４００とを含む。ケース１００は、ケース開口１１０を有し、その内側１２０に係合部１３０を有する。係合部１３０は、凹穴であることが好ましいが、他の実施例において、貫通孔又は係合効果を有する他の構造であってもよい。
【００１８】
図１Ａ乃至３Ｂに示す実施例のように、シリンダーモジュール２００は、ケース１００内に取り外し可能に設けられている。より具体的には、シリンダーモジュール２００は、ケース開口１１０を通して方向７１０に沿って取り外してケース１００から離れることができる。シリンダーモジュール２００は、その外周表面とケース１００の内側１２０との摩擦力によってケース１００内に留まることができる。また、シリンダーモジュール２００は、その外周表面にゴムリングなどのようなスリップ防止装置２８０がさらに設けられることにより、シリンダーモジュール２００とケース１００の内側１２０との摩擦力を増加させ、シリンダーモジュール２００が勝手にケース１００から滑り出す機会を低減させることもできる。
【００１９】
図１Ａ乃至３Ｂに示す実施例のように、シリンダーモジュール２００は、係止フックセット２１０とロックピース２３０とを含み、係止フックセット２１０は、少なくとも一部がケース開口１１０を通してケース１００からはみ出すことが可能であり、ロックピース２３０は、少なくとも一部が係止フックセット２１０に差し込む。キーシリンダー３００は、ケース１００内に設けられており、連動するキーシリンダー駆動部３１０とキーシリンダー受力部３２０とを有する。駆動装置４００は、ケース１００内に回転可能に設けられており、それぞれ互いに噛合する歯車である第一の駆動部４１０及び第二の駆動部４２０を有する。キーシリンダー３００が解錠状態である場合、キーシリンダー３００は、第二の駆動部４２０を駆動して回転させ、第二の駆動部４２０に連動する第一の駆動部４１０を回転させてロックピース２３０を回動させることにより、係止フックセット２１０を、ケース１００からのはみ出し部分が開き、ケース１００内における一部が係合部１３０に差し込むように駆動することが可能である。
【００２０】
更には、この実施例において、キーシリンダー３００が、鍵のキーシリンダーであり、キーシリンダー駆動部３１０が凸部であり、キーシリンダー受力部３２０が鍵穴である。キーシリンダー３００が解錠状態である場合、使用者が鍵をキーシリンダー受力部３２０に差し込んでキーシリンダー３００に付勢してそれを回転させることができ、つまり、キーシリンダー受力部３２０が力を受けることによりキーシリンダー駆動部３１０が連動して回転し、キーシリンダー駆動部３１０が係止フックセット２１０を、ケース１００からのはみ出し部分が開き、ケース１００内における一部を係合部１３０に差し込むように駆動することができ、詳細は後述する。他の実施例において、設計、製造又は使用上の要求を考慮し、キーシリンダー３００は、異なる設定があってもよい。例えば、キーシリンダー３００は、暗証番号錠のキーシリンダーであってもよく、キーシリンダー駆動部は、凸部又は係合効果を有する構造であってもよく、キーシリンダー受力部は、ノブ又はボタンであってもよい。
【００２１】
より具体的には、図４Ａ乃至５Ｂに示す実施例のように、シリンダーモジュール２００は、シリンダー筐体２２０をさらに含むことが好ましい。シリンダー筐体２２０は、第一の開口２２１と第二の開口２２２とを有し、その側壁２２３に係合部１３０に対応する係合孔２２４を有する。係止フックセット２１０は、シリンダー筐体２２０内に設けられており、２つの係止フック２１１ａ、２１１ｂを含み、係止フック２１１ａ、２１１ｂは、フック部２１２ａ、２１２ｂ及び係合部材２１３ａ、２１３ｂを含む。フック部２１２ａ、２１２ｂは、第一の開口２２１を通してシリンダー筐体２２０からはみ出し、ケース開口１１０を通してケース１００からはみ出すことが可能である（図１Ａ、１Ｂを参照）。係合部材２１３ａ、２１３ｂは、係合孔２２４を通してシリンダー筐体２２０からはみ出して係合部１３０に差し込むことが可能である。ロックピース２３０は、シリンダー筐体２２０内に設けられており、２つの係止フック２１１ａ、２１１ｂを、フック部２１２ａ、２１２ｂが互いに離れるとともに係合部材２１３ａ、２１３ｂが係合部１３０に差し込むように駆動することが可能である。
【００２２】
図４Ａ乃至５Ｂに示す実施例のように、ロックピース２３０は、回転部２３１と扁形のリンク部材２３２とを含む。回転部２３１は、係止フックセット２１０に対して回転可能であり、一端２３１ａが係止フックセット２１０に向かい、他端２３１ｂが第二の開口２２２を介してシリンダー筐体２２０から露出する。扁形のリンク部材２３２は、回転部２３１の係止フックセット２１０に向かう一端から２つの係止フック２１１ａ、２１１ｂの間まで延伸し、回転部２３１に連動して２つの係止フック２１１ａ、２１１ｂの間で回転することにより、図５Ａ及び５Ｂに示すように、２つの係止フック２１１ａ、２１１ｂを、フック部２１２ａ、２１２ｂが互いに離れるとともに係合部材２１３ａ、２１３ｂが係合部１３０に差し込むように駆動することが可能である。
【００２３】
図４Ａ乃至５Ｂに示す実施例のように、第一の駆動部４１０は、回転部２３１に係合して連動し、キーシリンダー３００のキーシリンダー駆動部３１０は、第二の駆動部４２０に係合して連動する。更には、第一の駆動部４１０及び回転部２３１には、対応して係合可能な第一の駆動部凹部４１０ｄ及び回転部バンプ２３１ｄがそれぞれ設けられており、キーシリンダー駆動部３１０及び第二の駆動部４２０には、対応して係合可能なキーシリンダー駆動部バンプ３１０ｄ及び第二の駆動部凹部４２０ｄがそれぞれ設けられている。
【００２４】
より具体的には、キーシリンダー３００が解錠状態である場合、キーシリンダー受力部３２０が力を受けることでキーシリンダー駆動部３１０を回転させ、第二の駆動部４２０を動かして回転させ、第二の駆動部４２０に連動する第一の駆動部４１０を回転させ、さらに回転部２３１を駆動して回転させることにより、回転部２３１に連動する扁形のリンク部材２３２を回転させることができる。図４Ａ、４Ｂ及び６Ａに示す実施例のように、扁形のリンク部材２３２が、広い面が２つの係止フック２１１ａ、２１１ｂに面するまで回動する、即ち扁形のリンク部材２３２が２つの係止フック２１１ａ、２１１ｂの間に直立すると、２つの係止フック２１１ａ、２１１ｂのフック部２１２ａ、２１２ｂが互いに近接して係合部材２１３ａ、２１３ｂが係合部１３０に差し込んでいない。この時、使用者は、図６Ａに示すように、フック部２１２ａ、２１２ｂを電子装置８００の盗難防止ロック穴８１０に差し込むことができる。一方、係合部材２１３ａ、２１３ｂが係合部１３０に差し込んでいないので、使用者は、必要に応じて（例えば、図６Ｂに示すような大きさの異なる盗難防止ロック穴に用いられる）シリンダーモジュール２００を、ケース開口１１０を通して取り外してケース１００から離れ、必要なシリンダーモジュール２００に置換することができ、電子装置錠のフルセットを改めて購入する必要がなく、使用上の利便性及び経済性を高めることができる。
【００２５】
その後、使用者が、電子装置錠９００を電子装置８００の盗難防止ロック穴８１０にロックしようとすると、図５Ａ、５Ｂ及び６Ｃに示すように、扁形のリンク部材２３２を、狭い面が２つの係止フック２１１ａ、２１１ｂに面するまで回動させる、即ち扁形のリンク部材２３２を、２つの係止フック２１１ａ、２１１ｂの間に横置きさせることにより、２つの係止フック２１１ａ、２１１ｂのフック部２１２ａ、２１２ｂが互いに離れるとともに係合部材２１３ａ、２１３ｂが係合部１３０に差し込む。この時、使用者がキーシリンダー３００を施錠状態にすると、扁形のリンク部材２３２の回動が制限され、フック部２１２ａ、２１２ｂが図６Ｃに示すように、盗難防止ロック穴８１０の側壁に係合したまま保持されることにより、電子装置錠９００が電子装置８００にロックされる。一方、この状態で、係合部材２１３ａ、２１３ｂが既に係合部１３０に差し込んだので、シリンダーモジュール２００は、ケース１００に対する移動が制限され、ケース開口１１０を通してケース１００から離れることがない。
【００２６】
他の実施例において、設計、製造又は使用上の要求を考慮し、ロックピース及び駆動装置は、異なる設定があってもよい。図７に示す実施例のように、キーシリンダー６００は、ロックシャフト６９０を有する暗証番号錠であってもよく、ロックシャフト６９０は、係止フックセット２１０に向かって２つの係止フック２１１ａ、２１１ｂの間まで移動することによって、２つの係止フック２１１ａ、２１１ｂを、フック部２１２ａ、２１２ｂが互いに離れるとともに係合部材２１３ａ、２１３ｂが係合部１３０に差し込むように駆動することができる。
【００２７】
前記の説明及び図面により既に本考案の好ましい実施例を開示したが、各種の追加、多くの変更及び置換が本考案の好ましい実施例に使用可能であり、添付する実用新案登録請求の範囲によって限定されるような本考案の原理の趣旨及び範囲を逸脱することがないことを理解しなければならない。当業者は、本考案が多くの形式、構造、配置、割合、材料、部品及び部材の変更に使用可能であることが分かる。したがって、本明細書に開示した実施例は、本考案を限定するためのものではなく、本考案を説明するためのものと見なされるべきである。本考案の範囲は、以下に添付する実用新案登録請求の範囲によって限定されるべきであり、その合法的な均等物を含み、以上の説明に限らない。
【符号の説明】
【００２８】
１００ : ケース
１１０ : ケース開口
１２０ : 内側
１３０ : 係合部
２００ : シリンダーモジュール
２１０ : 係止フックセット
２１１ａ : 係止フック
２１１ｂ : 係止フック
２１２ａ : フック部
２１２ｂ : フック部
２１３ａ : 係合部材
２１３ｂ : 係合部材
２２０ : シリンダー筐体
２２１ : 第一の開口
２２２ : 第二の開口
２２３ : 側壁
２２４ : 係合孔
２３０ : ロックピース
２３１ : 回転部
２３１ａ : 端
２３１ｂ : 端
２３１ｄ : 回転部バンプ
２３２ : 扁形のリンク部材
２８０ : スリップ防止装置
３００ : キーシリンダー
３１０ : キーシリンダー駆動部
３１０ｄ : キーシリンダー駆動部バンプ
３２０ : キーシリンダー受力部
４００ : 駆動装置
４１０ : 第一の駆動部
４１０ｄ : 第一の駆動部凹部
４２０ : 第二の駆動部
４２０ｄ : 第二の駆動部凹部
６９０ : ロックシャフト
７１０ : 方向
８００ : 電子装置
８１０ : 盗難防止ロック穴
９００ : 電子装置錠
【図１】
0003227428.tif 000003
【図２Ａ】
0003227428.tif 000004
【図２Ｂ】
0003227428.tif 000005
【図３Ａ】
0003227428.tif 000006
【図３Ｂ】
0003227428.tif 000007
【図４Ａ】
0003227428.tif 000008
【図４Ｂ】
0003227428.tif 000009
【図５Ａ】
0003227428.tif 000010
【図５Ｂ】
0003227428.tif 000011
【図６Ａ】
0003227428.tif 000012
【図６Ｂ】
0003227428.tif 000013
【図６Ｃ】
0003227428.tif 000014
【図７】
0003227428.tif 000015